(57)【要約】【課題】  化粧品アプリケーターブラシを提供する。【解決手段】  化粧品アプリケーターブラシは、互いに対して組み立てられた複数のディスクを含み、組み立てられた前記複数のディスクは１つのグループを形成し、各ディスクは本体を有し、前記本体から半径方向に、複数の毛および／またはコームが延びており、  前記本体は、その中を通って延びる一対のワイヤ通路を有し、別々のワイヤである一対のワイヤの内の１のワイヤは、前記複数のディスクの前記１つのグループの前記一対のワイヤ通路の内の１のワイヤ通路を通って延び、前記一対のワイヤの内の他のワイヤは、前記複数のディスクの前記１つのグループの前記一対のワイヤ通路の内の他のワイヤ通路を通って延びて、前記複数のディスクを互いにつなげ、前記一対のワイヤは、ねじられており、前記一対のワイヤにおけるねじれの量が、隣り合うディスク間の角度関係を決める。【選択図】  図２５
2019018075.tif 000002
【特許請求の範囲】
【請求項１】
化粧品アプリケーターブラシにおいて、
互いに対して組み立てられた複数のディスクを含み、組み立てられた前記複数のディスクは１つのグループを形成し、各ディスクは本体を有し、前記本体から半径方向に、複数の毛および／またはコームが延びており、
前記本体は、その中を通って延びる一対のワイヤ通路を有し、別々のワイヤである一対のワイヤの内の１のワイヤは、前記複数のディスクの前記１つのグループの前記一対のワイヤ通路の内の１のワイヤ通路を通って延び、前記一対のワイヤの内の他のワイヤは、前記複数のディスクの前記１つのグループの前記一対のワイヤ通路の内の他のワイヤ通路を通って延びて、前記複数のディスクを互いにつなげ、前記一対のワイヤは、ねじられており、前記一対のワイヤにおけるねじれの量が、隣り合うディスク間の角度関係を決め、
前記複数のディスクはつなげられており、
前記複数のディスクは、プラスチック、又は、ゴムで作られており、
前記一対のワイヤは、金属、又は、金属性材料で作られている、化粧品アプリケーターブラシ。
【請求項２】
請求項１に記載の化粧品アプリケーターブラシにおいて、
前記本体は、突出部が延びている第１の面と、刻み目が画定されている、反対側の第２の面と、を有し、
前記突出部および刻み目は、互いから角度がオフセットしており、１つのディスクの突出部と、隣のディスクの刻み目との相互作用により、これらの隣り合うディスク間の前記角度関係が維持されている、化粧品アプリケーターブラシ。
【請求項３】
請求項２に記載の化粧品アプリケーターブラシにおいて、
各ディスクの前記突出部および前記刻み目の角度オフセットは、０°〜３６０°である、化粧品アプリケーターブラシ。
【請求項４】
請求項３に記載の化粧品アプリケーターブラシにおいて、
前記角度オフセットは、前記ディスクのそれぞれで同じである、化粧品アプリケーターブラシ。
【請求項５】
請求項３に記載の化粧品アプリケーターブラシにおいて、
前記角度オフセットは、前記ディスクのうち少なくとも２つで異なっている、化粧品アプリケーターブラシ。
【請求項６】
請求項２に記載の化粧品アプリケーターブラシにおいて、
前記１つのディスクの前記突出部と、前記隣のディスクの前記刻み目との相互作用により、前記ブラシのヘッドを形成するよう、隣り合う前記ディスクが相互接続されたままで保持されている、化粧品アプリケーターブラシ。
【請求項７】
請求項６に記載の化粧品アプリケーターブラシにおいて、
隣り合う前記ディスクは、溶接および／または接着剤により、互いに固定されている、化粧品アプリケーターブラシ。
【請求項８】
請求項１に記載の化粧品アプリケーターブラシにおいて、
前記一対のワイヤおよび前記一対のワイヤ通路には、いかなるキー要素もない、化粧品アプリケーターブラシ。
【請求項９】
請求項８に記載の化粧品アプリケーターブラシにおいて、
前記一対のワイヤ通路および前記一対のワイヤはそれぞれ、円形の構成を有する、化粧品アプリケーターブラシ。
【請求項１０】
請求項８に記載の化粧品アプリケーターブラシにおいて、
前記一対のワイヤは、仕上げ表面および前記仕上げ表面の反対側の接続表面を備えたキャップ端部を画定し、
前記接続表面は、隣のディスクの面上の凹部または突出部と係合するように構成された、突出部または凹部を画定している、化粧品アプリケーターブラシ。
【請求項１１】
請求項１に記載の化粧品アプリケーターブラシにおいて、
隣り合う前記ディスクの前記毛は、ねじれた毛の道筋を画定する、化粧品アプリケーターブラシ。
【請求項１２】
請求項１に記載の化粧品アプリケーターブラシにおいて、
隣り合う前記ディスクの前記コームは、まっすぐなコームの道筋を画定する、化粧品アプリケーターブラシ。
【請求項１３】
請求項１に記載の化粧品アプリケーターブラシにおいて、
少なくとも１つの毛は、主要部分と、前記主要部分から延びる少なくとも１つの二次的部分と、を含む、化粧品アプリケーターブラシ。
【請求項１４】
請求項１に記載の化粧品アプリケーターブラシにおいて、
前記毛および前記本体は一体である、化粧品アプリケーターブラシ。
【請求項１５】
請求項１４に記載の化粧品アプリケーターブラシにおいて、
前記本体は、その中心部分から周辺部分にかけて、厚さが変化している、化粧品アプリケーターブラシ。
【請求項１６】
請求項１４に記載の化粧品アプリケーターブラシにおいて、
前記本体は、その中心部分から周辺部分にかけて、波形パターンで厚さが変化している、化粧品アプリケーターブラシ。
【請求項１７】
請求項１４に記載の化粧品アプリケーターブラシにおいて、
前記本体は、その上に画定された複数の突起および／または凹部を含む、化粧品アプリケーターブラシ。
【発明の詳細な説明】
【開示の内容】
【０００１】
〔関連出願の相互参照〕
本出願は、２０１５年５月１日に出願された米国仮特許出願第６２／１５５，６００号の利益を主張し、この仮特許出願の内容は、本明細書に組み込まれるものとする。
【０００２】
〔発明の分野〕
本発明は、化粧品アプリケーターに関する。さらに具体的には、本発明は、中心のロッドとは無関係に互いに対して角度がオフセットしている、積み重なったディスクを含む、化粧品アプリケーターブラシに関する。
【０００３】
〔発明の背景〕
アプリケーターブラシを用いて、さまざまな化粧品、例えば、主に女性が使用する化粧品の一種であるマスカラが、塗られる。アプリケーターブラシは、眼の周りに美的な感じを出すためにまつ毛にさまざまな色のマスカラを塗るための、または眼もしくは他の部分に他の化粧品を塗るための、化粧用具である。
【０００４】
例示的なマスカラでは、アプリケーターブラシは、マスカラ液が保管される容器に挿入されるように構成され、容器を開閉するためのノブ、ノブの先端部まで突出するロッド、および、ロッド上に形成されるブラシがある。マスカラは、ノブと容器との連結プロセスまたは別のプロセスを通じて、ブラシにマスカラ液を塗りつけることによって、使用される。
【０００５】
一方、前述のように形成されたマスカラブラシは、まつ毛のボリューム（ボリューム：眉が、ブラシの毛の長さおよび形態に従って豊かに見える効果）、カール（カール：眉の長さが長くなる効果）、清潔（清潔：眉がひと塊にならない（lumped）効果）などといった、さまざまな機能に適するように製造される。マスカラブラシは、粘度のあるマスカラ液をまつ毛に均一に塗り、ブラシによる梳き機能は、まつ毛が固まらないよう、優れたものでなければならない。
【０００６】
マスカラブラシの１つの製造タイプは、ディスクブラシであり、これは、中央で複数のディスクを貫通する軸方向ロッドを備えて製造される。所望の毛の配列を作り出すために、連続した各ディスクは、その前後のディスクと比べて角度をオフセットさせて設置される。この角度オフセットを達成するため、典型的には、幾何学的断面またはキーが、ロッドにもディスクにも同様に組み込まれている。このようなキー付きシステムでは、キーが、各ディスクについて異なる量だけ、毛に対してオフセットしていることが必要となる。
【０００７】
〔発明の概要〕
少なくとも１つの実施形態では、本発明は、互いに対して組み立てられた複数のディスクを含む化粧品アプリケーターブラシを提供し、各ディスクは本体を有し、本体から半径方向に複数の毛および／またはコームが延びている。隣り合うディスクは、ディスクに特有のキー要素（disc specific keying element）とは無関係に、互いに対してある角度関係で保持されている。
【０００８】
少なくとも１つの実施形態では、各ディスク本体は、突出部が延出している第１の面と、刻み目が画定された、反対側の第２の面と、を有する。突出部および刻み目は、互いから角度がオフセットしており、１つのディスクの突出部と、隣のディスクの刻み目とが相互作用することで、これら隣り合うディスク間の角度関係が維持される。
【０００９】
少なくとも１つの実施形態では、各ディスク本体は、その中を通って延びる２つのワイヤ通路を有し、ワイヤが、隣り合うディスクの通路を通って延び、それらのディスクを互いにつなぐ。ワイヤのねじれの量が、隣り合うディスク間の角度関係を決める。したがって、本発明は、互いに対して組み立てられた複数のディスクを含む化粧品アプリケーターブラシであって、各ディスクが、突出部および刻み目を有し、ディスク特有のキー要素とは無関係に互いに対してある角度関係で維持される、化粧品アプリケーターブラシを提供する。さらに、本発明は、各ディスク本体が、ディスクを互いにつなぐようにワイヤ通路を延びるワイヤによってねじれている、化粧品アプリケーターブラシを提供する。
【００１０】
本明細書に組み込まれ、本明細書の一部を構成する、添付図面は、本発明の現在好適な実施形態を示しており、前述した一般的説明、および後述する詳細な説明と共に、本発明の特徴の説明に役立つものである。
【００１１】
〔発明の詳細な説明〕
図面では、全体にわたり、同様の符号が同様の要素を示している。ある用語が、便宜のためだけに本明細書で使用されており、これは、本発明に対する制限として解釈されるものではない。以下では、本発明の好適な実施形態が説明される。しかしながら、本開示に基づけば、本発明は本明細書に記載される好適な実施形態により制限されるものではないことを、理解されたい。
【００１２】
図１〜図４を参照して、本発明のある実施形態による化粧品アプリケーターブラシ１０を説明する。アプリケーターブラシ１０は、ロッド１２上で組み立てられた複数のディスク２０を含む。例示された実施形態では、ロッド１２は、ノブに接続されるように構成された接続端部１４と、アプリケーターブラシ１０に完成した端部を提供するように構成されたキャップ端部１６と、を有する。突出部１８が、キャップ端部１６の内表面から延出しており、以下で説明するように、ディスク２０のうち１つのディスクの刻み目３０に係合するように構成されている。例示される実施形態のキャップ端部１６は、突出部を有しているが、キャップ端部１６が、ディスク２０のうち１つのディスクの突出部２８に係合するように構成された刻み目を有してもよいことが、認識される。なお、ロッド１２は、キーが付いていない構成を有する。キー付きの構成を有するロッドがない場合でも、ディスク２０は、毛２６が所望の構成、例えば、図２に示すようなねじれた毛の道筋ＢＰ、を有するようにロッド１２上に位置付けられ得る。
【００１３】
図３および図４を参照すると、各ディスクは、対向する面２１および２３と、面２１と面２３との間の側壁２４との間に延びる、ディスク本体２２を有する。毛２６は、所望の構成で、側壁２４から延出する。例示された実施形態では、毛２６は、本体２２の周りに螺旋構成で延びているが、任意の所望の構成を利用することができる。各ディスク２０を、ロッド１２上に位置付けることができるように、貫通孔２５が本体２２を通って延びている。貫通孔２５もやはり、キー付きの構成を有していない。
【００１４】
隣り合うディスク２０同士の間の所望の関係を達成するため、各ディスク２０は、面２１から延びる突出部２８と、反対の面２３上に画定される刻み目３０と、を有する。突出部２８および刻み目３０は、互いに対して角度がオフセットした状態で位置している。図３において、突出部２８は、ほぼ１時のところに放射軸を有するが、図４において、刻み目３０は、ほぼ５時のところに放射軸を有している。この角度オフセットは、隣り合うディスク２０上の毛２６と毛２６との間のオフセットを定める。角度オフセットは、０°〜３６０°のいずれであってもよく、また、このオフセットは、ディスク２０すべての間で一貫していてよく、あるいは、他の所望の毛の構成を生じるように、ディスクのうちの１つまたは複数の間で変化していてよい。突出部２８および刻み目３０は、相補的な構成、例えば例示された台形の形状、を有するが、本発明は、この例示された形状に制限されるものではない。この相補的な形状により、ディスク２０は指定の位置で互いの中にロックされ、積み重ねた中の、前のディスクからの、また、次のディスクに対する、所望の角度オフセットが維持される。
【００１５】
図５〜図８を参照して、本発明の例示的な実施形態による、別の化粧品アプリケーターブラシ１０’を説明する。アプリケーターブラシ１０’は、先の実施形態と同様であり、積み重ねたディスク２０’の孔２５を通って延びるロッド（不図示）を含む。本実施形態では、刻み目３０’はディスク本体２２’を完全に貫通して延びており、これらは、面２１に通じている。突出部２８’はそれぞれ、本体２２’の高さと等しい高さを有しているので、突出部２８’の上面は、図８に示すように、組み立てられると、隣のディスク２２’の面２１’と同じ高さである。１つまたは複数の突出部２８’が、本体２２’の高さより大きい高さを有してよく、これにより、突出部２８’が２番目に隣のディスクの刻み目内に延びるようにすることが、さらに企図される。ここでも、突出部２８’および刻み目３０’は、互いに対して角度がオフセットしている。さらに、ここでは、毛２６’が、主要な毛２６’から延びる二次的な毛２７を備えた、異なる構成を有する。本発明は、例示された毛に制限されるものではなく、さまざまな組み合わせを利用することができる。一実施例として、毛の組み合わせには、サイズ、形状、色、材料、名称（nomenclature）または作製方法（モノインジェクション、バイインジェクション（mono-injection, bi-injection））のバリエーションが含まれ得るが、これらに制限されない。例えば、コームが、塗布中にまつ毛をまっすぐにし、ひと塊にせず（de-clump）、かつ恐らくは伸ばすために、毛の代わりに利用され得る。この実施例について図２３〜図２４を参照すると、図２３は、それぞれの毛２６’に代わる、ディスク２０’’’の本体２２’の側壁２４から突出する複数のコーム２９を示している。他のあらゆる点において、ディスク２０’’’は、図５〜図８のディスク２０’の構成を有している。組み立てられると、コーム２９は、図２４に描かれるような、まっすぐな道筋ＳＣを形成する。
【００１６】
図９および図１０を参照して、本発明の別の実施形態による例示的なディスク２０”を説明する。この実施形態では、一対の突出部２８”が本体２２”の面２１”から延び、対応する一対の刻み目３０”が反対側の面２３”に画定されている。この実施形態では、突出部２８”および刻み目３０”は、相補的な円形の構成を有する。やはり、突出部２８’および刻み目３０’は、互いに対して角度がオフセットしている。他のあらゆる点については、ディスク２０”は、所望の構成を備えたブラシを得るためにロッド（不図示）上に積み重ねられてよい。
【００１７】
例示された実施形態のいずれにおいても、アプリケーターブラシは、例示した毛のディスク以外の他の構成要素を含み得ることが、さらに認識される。例えば、異なる毛の配列を有するロッド、コーム、またはディスクが、真ん中または端部において取り付けられて、異なる所望の形状または構成を作り出すことができる。さらに、ディスクはロッド１２に沿って積み重ねたものが図示されているが、オプションとして軸方向ロッドを用いながら、接着剤、レーザー、もしくは超音波溶接および同様に用いられる任意の他の技術といった、他の機械的または化学的手段で、個々のディスクを取り付けることが可能である。
【００１８】
図１１および図１２を参照して、本発明の別の実施形態による化粧品アプリケーターブラシ１０ｉｖを説明する。この実施形態は、各ディスク２０ｉｖの本体２２ｉｖが貫通孔を含まない点を除き、第１の実施形態と同様である。代わりに、ディスク２０ｉｖを接続するため、突出部２８および刻み目３０がきつく嵌まっていて、ディスク２０ｉｖは、ロッドのないブラシを形成するよう、互いをしっかりつかまえている。オプションとして軸方向ロッドを使用しながら、接着剤、レーザー、もしくは超音波溶接および同様に用いられる任意の他の技術といった、他の機械的または化学的手段で、個々のディスクを取り付けることがさらに可能である。
【００１９】
図１３〜図１５を参照して、本発明の別の実施形態による化粧品アプリケーターブラシ１０ｖを説明する。この実施形態は、一対のワイヤ３６により互いに相互接続された、複数の積み重ねたディスク２０ｖを含み、一対のワイヤは、別々のワイヤであるか、または、折り返された（folded and returned）１本のワイヤから形成されることができる。さらに、本明細書ではワイヤを記載しているが、ひも、または同様の構造体を使用することができる。各ディスク２０ｖの本体２２ｖは、一対のワイヤ通路３２を含む。図１４に示すように、各ワイヤ３６は、連続したディスク２０ｖのそれぞれのワイヤ通路３２を通過する。いったん、この一対のワイヤ３６が積み重ねたディスク２０ｖを通り抜けたら、すべてのディスク２０ｖが互いにつながって、その後、各ディスク２０ｖが前後のディスク２０ｖと比べて有限の角度オフセットを有する所望の形状を形成するように、ねじられることができる。通路３２の形状は、角度オフセットをどのようにして決定するかとは関係がなく、むしろ、角度オフセットは、通路３２を通り抜けるワイヤ３６のねじれによって決まるので、通路３２は、所望のとおり任意の形状にすることができる。ディスクの角度、デザイン、および材料に従って、ワイヤ、ひもなどについて、適切な材料、例えば角度オフセットを要求に応じて変えることができる、変形可能な弾性材料を、選択することができる。例えば、変形可能な弾性材料には、ステンレス鋼で作られた材料、または任意の材料が含まれる。
【００２０】
図１６〜図１８を参照して、本発明の別の実施形態による化粧品アプリケーターブラシ１０ｖｉを説明する。この実施形態は、ディスク２０ｖｉを貫通する通路３２’がディスク本体２２ｖｉの外表面まで延びていることを除き、先の実施形態のものと実質的に同じである。このような構成により、ディスク２０ｖｉが組み立て位置に来る前または後で、ワイヤ３６を入れることができる。他のあらゆる点については、ブラシ１０ｖｉは、先の実施形態と同じである。１つまたは複数のディスクが、閉じた通路３２および開いた通路３２’を有し得ることが、さらに企図される。閉じた通路３２は、ディスクを一緒に保持するアンカーとして役立ち、開いた通路３２’は、フォーメーションをなした個々のディスクそれぞれをガイドするために形成インサートを有することにより、ディスク間の角度オフセットを決定するのに使用され得る。
【００２１】
図１９および図２０は、本発明の別の実施形態による例示的なディスク２０ｖｉｉを示す。この実施形態では、円形突出部２８”が本体２２ｖｉｉの面２１ｖｉｉから延び、対応する刻み目３０”が反対側の面２３ｖｉｉに画定されている。ここでも、突出部２８’および刻み目３０’は、互いに対して角度がオフセットしている。この実施形態では、毛２６”は、ディスク本体２２ｖｉｉから形状を切り取ることで形成されている。矩形の毛２６”が例示されているが、任意の所望の形状をディスク本体２２ｖｉｉに切り込んで、任意の所望の形状の毛２６”を形成することができる。本明細書で使用される「毛」という用語は、化粧品をすくい上げるために半径方向外側に延びる任意の形状または構造体を含み、本明細書に例示する特定の形状または構造体に制限されないことが、理解される。毛は、ディスク本体と同じ材料であってよく、または、異なる材料であってもよく、成型、二段成型、切断、形成などを含む、任意の所望の技術によって、形成され得る。
【００２２】
さらに、図１９および図２０に例示する実施形態では、ディスク本体２２ｖｉｉは、ディスクの中心に向かって厚くなり、ディスクの外縁に向かって薄くなっている。ディスク本体厚さの変動は、さまざまな所望の効果を生み出すために変えることができる。例えば、ディスク本体２２ｖｉｉは、毛２６”相互間に、より多くのマスカラ製剤を保持するために、中心に比べて縁に沿って、より厚くなっていてもよい。図２１および図２２は、ディスク２０ｖｉｉｉの別の実施形態を例示しており、ここでは、ディスク本体２２ｖｉｉｉは、「波形の」外見を作り出すための、中心から縁に向かうパターン、または必要に応じて任意の他のパターンで増減する厚さを有する。さらに、さまざまな形状および構造の特徴部、例えば、突起３３および凹部３１が、所望の場合には性能を高めるために、表面上に加えられてもよい。他のあらゆる点について、ディスク２０ｖｉｉおよび２０ｖｉｉｉは、所望の構成を有するブラシを得るため、ロッド（不図示）上に積み重ねられ得る。図２５は、図１４の化粧品アプリケーターブラシの組立図であり、複数の積み重ねたディスクが一対のワイヤによって互いに相互接続されている。
図２５から明らかであるように、例えば、化粧品アプリケーターの一端Ａは時計方向（または、反時計方向）にねじられることができ、化粧品アプリケーターの他端Ｂは反時計方向（または、時計方向）にねじられることができる。更に、一端Ａはねじられることができ（または、ねじられないことができ）、他端Ｂはねじられることができる（または、ねじられないことができる）。
図２６は、図１７の化粧品アプリケーターブラシの組立図であり、ディスクを貫通する通路がディスク本体の外表面まで延びている。
【００２３】
なお、各実施例におけるディスクの形状は円形であるが、本発明は、そのようなものに制限されず、ディスク本体は、所望される任意の形状を有し得る。例えば、ディスク本体の形状は、三角形、四角形（quadangular）、五角形、六角形、矩形などであってもよい。さらに、ワイヤ通路（開いた通路および閉じた通路の双方）の数は、２つに制限されない。例えば、ワイヤ通路の数は、１つ、２つ、３つであるか、また、さらに多くてもよい。さらに、ディスクは、モノインジェクション成型（mono injection molding）およびバイインジェクション成型（bi-injection molding）によるプラスチック、ゴム、シリコン、および金属を含む、任意の材料で作られ得ることも注目される。
【００２４】
本発明のこれらの利点および他の利点は、前記の明細書から、当業者には明らかとなるであろう。例えば、本発明は、ボリュームを出す、カールさせる、バラバラにする（separation）、および長くするなどといった、優れたマスカラの化粧効果を提供することができる化粧品アプリケーターを提供する。さらに、本発明は、各ディスクが異なる色、形状およびサイズを有し、これにより視覚的に魅力的な外見を作り出す、化粧品アプリケーターを提供する。したがって、本発明の広範な発明の概念から逸脱せずに、前述した実施形態に対し、変更または改変を行い得ることが、当業者には認識されるであろう。よって、本発明は、本明細書で説明した特定の実施形態に制限されず、請求項で定めるような、本発明の範囲および趣旨に含まれるあらゆる変更および改変を含むことを意図していると、理解されたい。
【００２５】
〔実施の態様〕
（１）  化粧品アプリケーターブラシにおいて、
互いに対して組み立てられた複数のディスクを含み、各ディスクは本体を有し、前記本体から半径方向に、複数の毛および／またはコームが延びており、
隣り合うディスクは、ディスク特有のキー要素とは無関係に、互いに対して、ある角度関係で保持されており、
各ディスク本体は、その中を通って延びる２つのワイヤ通路を有し、ワイヤは、隣り合うディスクの前記通路を通って延びて、これらのディスクを互いにつなげ、前記ワイヤにおけるねじれの量が、隣り合うディスク間の前記角度関係を決める、化粧品アプリケーターブラシ。
（２）  実施態様１に記載の化粧品アプリケーターブラシにおいて、
各ディスク本体は、突出部が延びている第１の面と、刻み目が画定されている、反対側の第２の面と、を有し、
前記突出部および刻み目は、互いから角度がオフセットしており、１つのディスクの突出部と、隣のディスクの刻み目との相互作用により、これらの隣り合うディスク間の前記角度関係が維持されている、化粧品アプリケーターブラシ。
（３）  実施態様２に記載の化粧品アプリケーターブラシにおいて、
各ディスクの前記突出部および前記刻み目の角度オフセットは、０°〜３６０°である、化粧品アプリケーターブラシ。
（４）  実施態様３に記載の化粧品アプリケーターブラシにおいて、
前記角度オフセットは、前記ディスクのそれぞれで同じである、化粧品アプリケーターブラシ。
（５）  実施態様３に記載の化粧品アプリケーターブラシにおいて、
前記角度オフセットは、前記ディスクのうち少なくとも２つで異なっている、化粧品アプリケーターブラシ。
【００２６】
（６）  実施態様２に記載の化粧品アプリケーターブラシにおいて、
１つのディスクの前記突出部と、隣のディスクの前記刻み目との相互作用により、前記ブラシのヘッドを形成するよう、隣り合うディスクが相互接続されたままで保持されている、化粧品アプリケーターブラシ。
（７）  実施態様６に記載の化粧品アプリケーターブラシにおいて、
前記ディスクは、溶接および／または接着により、互いにさらに固定されている、化粧品アプリケーターブラシ。
（８）  実施態様１に記載の化粧品アプリケーターブラシにおいて、
前記ディスクはそれぞれ、貫通孔を有し、ロッドが、前記ディスクそれぞれの前記貫通孔を通って延び、
前記ロッドおよび貫通孔には、いかなるキー要素もない、化粧品アプリケーターブラシ。
（９）  実施態様８に記載の化粧品アプリケーターブラシにおいて、
前記貫通孔および前記ロッドはそれぞれ、円形の構成を有する、化粧品アプリケーターブラシ。
（１０）  実施態様８に記載の化粧品アプリケーターブラシにおいて、
前記ロッドは、仕上げ表面および前記仕上げ表面の反対側の接続表面を備えたキャップ端部を画定し、
前記接続表面は、隣のディスクの面上の凹部または突出部と係合するように構成された、突出部または凹部を画定している、化粧品アプリケーターブラシ。
【００２７】
（１１）  実施態様１に記載の化粧品アプリケーターブラシにおいて、
隣り合うディスクの前記毛は、ねじれた毛の道筋を画定する、化粧品アプリケーターブラシ。
（１２）  実施態様１に記載の化粧品アプリケーターブラシにおいて、
隣り合うディスクの前記コームは、まっすぐなコームの道筋を画定する、化粧品アプリケーターブラシ。
（１３）  実施態様１に記載の化粧品アプリケーターブラシにおいて、
少なくとも１つの毛は、主要部分と、前記主要部分から延びる少なくとも１つの二次的部分と、を含む、化粧品アプリケーターブラシ。
（１４）  実施態様１に記載の化粧品アプリケーターブラシにおいて、
各ディスクは、本体を有し、前記毛は、前記本体の一部を切り取ることにより画定されている、化粧品アプリケーターブラシ。
（１５）  実施態様１４に記載の化粧品アプリケーターブラシにおいて、
前記ディスク本体は、その中心部分から周辺部分にかけて、厚さが変化している、化粧品アプリケーターブラシ。
【００２８】
（１６）  実施態様１４に記載の化粧品アプリケーターブラシにおいて、
前記ディスク本体は、その中心部分から周辺部分にかけて、波形パターンで厚さが変化している、化粧品アプリケーターブラシ。
（１７）  実施態様１４に記載の化粧品アプリケーターブラシにおいて、
前記ディスク本体は、その上に画定された複数の突起および／または凹部を含む、化粧品アプリケーターブラシ。
（１８）  実施態様１に記載の化粧品アプリケーターブラシにおいて、
前記ワイヤ通路のうちの少なくとも１つは、前記ディスク本体の半径方向側壁へと開口している、化粧品アプリケーターブラシ。
（１９）  実施態様１に記載の化粧品アプリケーターブラシにおいて、
前記ワイヤは、変形可能な弾性材料から製造され、前記ディスクは、可変の角度関係で配列され得る、化粧品アプリケーターブラシ。
（２０）  実施態様１に記載の化粧品アプリケーターブラシにおいて、
前記ディスクは、モノインジェクション成型およびバイインジェクション成型によるプラスチック、ゴム、シリコン、および金属を含む、任意の材料で作られている、化粧品アプリケーターブラシ。
（２１）  実施態様１に記載の化粧品アプリケーターブラシにおいて、
前記複数のディスクはつなげられており、前記ワイヤは、所望の形状を形成するため、前記化粧品アプリケーターブラシの両端において独立してねじられている、化粧品アプリケーターブラシ。
【図面の簡単な説明】
【００２９】
【図１】例示的な実施形態による、ディスクを用いた化粧品アプリケーターブラシの分解組立斜視図である。
【図２】図１の化粧品アプリケーターブラシの組立図である。
【図３】図１のアプリケーターブラシの例示的なディスクの上面斜視図である。
【図４】図３のディスクの底面斜視図である。
【図５】本発明の別の実施形態による、例示的なディスクの上面図である。
【図６】図５のディスクの上面斜視図である。
【図７】図５のディスクを用いた、中心のロッドなしの、化粧品アプリケーターブラシの分解組立斜視図である。
【図８】図７の化粧品アプリケーターブラシの組立図である。
【図９】本発明の別の実施形態による、例示的なディスクの上面斜視図である。
【図１０】図９のディスクの底面斜視図である。
【図１１】本発明の別の実施形態によるディスクを用いた化粧品アプリケーターブラシの分解組立斜視図である。
【図１２】図１１の化粧品アプリケーターブラシの組立図である。
【図１３】本発明の別の実施形態による、例示的なディスクの上面斜視図である。
【図１４】図１３のディスクを用いた化粧品アプリケーターブラシの分解組立斜視図である。
【図１５】図１４の化粧品アプリケーターブラシの組立図である。
【図１６】本発明の別の実施形態による、例示的なディスクの上面斜視図である。
【図１７】図１６のディスクを用いた化粧品アプリケーターブラシの分解組立斜視図である。
【図１８】図１７の化粧品アプリケーターブラシの組立図である。
【図１９】本発明の別の実施形態による、例示的なディスクの上面斜視図である。
【図２０】図１９のディスクの底面斜視図である。
【図２１】本発明の別の実施形態による、例示的なディスクの上面斜視図である。
【図２２】図２１のディスクの底面斜視図である。
【図２３】本発明の別の例示的な実施形態による、例示的なディスクの平面図である。
【図２４】図２３のディスクを組み込んだ化粧品アプリケーターの組立図である。
【図２５】複数の積み重ねたディスクが一対のワイヤによって互いに相互接続されている、図１４の化粧品アプリケーターブラシの組立図である。
【図２６】ディスクを貫通する通路が、ディスク本体の外表面まで延びている、図１７の化粧品アプリケーターブラシの組立図である。
【図１】
2019018075.tif 000003
【図２】
2019018075.tif 000004
【図３】
2019018075.tif 000005
【図４】
2019018075.tif 000006
【図５】
2019018075.tif 000007
【図６】
2019018075.tif 000008
【図７】
2019018075.tif 000009
【図８】
2019018075.tif 000010
【図９】
2019018075.tif 000011
【図１０】
2019018075.tif 000012
【図１１】
2019018075.tif 000013
【図１２】
2019018075.tif 000014
【図１３】
2019018075.tif 000015
【図１４】
2019018075.tif 000016
【図１５】
2019018075.tif 000017
【図１６】
2019018075.tif 000018
【図１７】
2019018075.tif 000019
【図１８】
2019018075.tif 000020
【図１９】
2019018075.tif 000021
【図２０】
2019018075.tif 000022
【図２１】
2019018075.tif 000023
【図２２】
2019018075.tif 000024
【図２３】
2019018075.tif 000025
【図２４】
2019018075.tif 000026
【図２５】
2019018075.tif 000027
【図２６】
2019018075.tif 000028